(57)【要約】【課題】  本発明の目的は、遠赤外線およびマイナスイオンを放出し、ヒーリングサウナとして利用できるベッドおよびその製造方法を提供することにある。【解決手段】  本発明のベッド１０は、炭粉１００重量部、セメント５〜２０重量部、無機塩水溶液５〜２０重量部を含む混練物が養生により固化されて成る第１および第２板状体１２ａ，１２ｂと、第１および第２板状体１２ａ，１２ｂが重ね合わされ、板状体同士が接する面において、少なくともいずれか一方の板状体１２ａ（１２ｂ）に掘られた溝１４と、溝１４内を通る配管１６とを含む。【選択図】    図１
2006217937.tif 000002
【特許請求の範囲】
【請求項１】
炭粉、セメント、無機塩水溶液を含む混練物が固化されて成る第１および第２板状体と、
前記第１および第２板状体が重ね合わされ、板状体同士が接する面において、少なくともいずれか一方の板状体に掘られた溝と、
前記溝内を通る配管と、
を含むベッド。
【請求項２】
炭粉、セメント、無機塩水溶液を含む混練物が固化されて成る板状体と、
前記板状体の内部を通る配管と、
を含むベッド。
【請求項３】
炭粉、セメント、無機塩水溶液を含む混練物が固化されて成る板状体と、
前記板状体の底面に設けられた溝と、
前記溝内を通る配管と、
を含むベッド。
【請求項４】
前記混練物が、炭粉１００重量部、セメント５〜２０重量部、無機塩水溶液５〜２０重量部を混連したものである請求項１乃至３に記載のベッド。
【請求項５】
温水が前記配管内を循環する請求項１乃至４に記載のベッド。
【請求項６】
炭粉、セメント、無機塩水溶液を含む被混練物を混練して混練物を得る工程と、
前記混練物を板状に成形して成形物と成す工程と、
前記成形物を養生して固化し、板状体と成す工程と、
前記板状体が２つであり、２つの該板状体の少なくとも一方の板状体に溝を設ける工程と、
前記溝に配管を配置する工程と、
前記溝のある面が他方の板状体と接するように、前記２つの板状体を重ね合わせる工程と、
を含むベッドの製造方法。
【請求項７】
前記成型物と成す工程と溝を設ける工程とが同時におこなわれ、前記板状体と成す工程で板状体の形成と同時に溝も設けられる請求項６に記載の製造方法。
【請求項８】
炭粉、セメント、無機塩水溶液を含む被混練物を混練して混練物を得る工程と、
配管を覆うように前記混練物を板状に成形して成形物と成す工程と、
前記成形物を養生して固化し、板状体と成す工程と、
を含むベッドの製造方法。
【請求項９】
前記混練物を得る工程は、炭粉１００重量部、セメント５〜２０重量部、無機塩水溶液５〜２０重量部を混練することを含む請求項１乃至８に記載のベッド。
【発明の詳細な説明】
【技術分野】
【０００１】
本発明は、遠赤外線およびマイナスイオンを放出するベッドおよびその製造方法に関するものである。
【背景技術】
【０００２】
従来から遠赤外線が体の表皮血行を良くするため、体内の細胞に栄養・酸素を供給しやすくし、体内の老廃物を排出して新陳代謝を促進することが知られている。そして遠赤外線を利用した種々の商品が開発・販売されている。
【０００３】
例えば、遠赤外線を利用した保温シートが特許文献１に開示されている。この保温シートは、炭類の微粉末を袋に充填し、その袋を配列して炭類の充填層を構成している。体温によって炭類の微粉末が暖められると、この炭類の微粉末からでる遠赤外線によって体の血行をよくすることができる。
【０００４】
しかし、保温シートの上に人が寝るため、炭類の微粉末が充填された袋が破れてしまい、炭類の微粉末が周囲に散らばるおそれがある。袋をかなり強固なものにしなくてはならない。また、炭類の微粉末が体温によって暖められるまで多量の遠赤外線が放射されないため、短時間の使用では効果がなく、ヒーリングサウナ（または低温サウナ）として利用できない。
【０００５】
【特許文献１】特開２００４−２６７６５９号公報
【発明の開示】
【発明が解決しようとする課題】
【０００６】
本発明の目的は、遠赤外線およびマイナスイオンを放出し、ヒーリングサウナとして利用できるベッドおよびその製造方法を提供することにある。
【課題を解決するための手段】
【０００７】
本発明のベッドは、炭粉、セメント、無機塩水溶液を含む混練物が固化されて成る第１および第２板状体と、前記第１および第２板状体が重ね合わされ、板状体同士が接する面において、少なくともいずれか一方の板状体に掘られた溝と、前記溝内を通る配管と、を含む。
【０００８】
本発明の他のベッドは、炭粉、セメント、無機塩水溶液を含む混練物が固化されて成る板状体と、前記板状体の内部を通る配管と、を含む。
【０００９】
本発明の他のベッドは、炭粉、セメント、無機塩水溶液を含む混練物が固化されて成る板状体と、前記板状体の底面に設けられた溝と、前記溝内を通る配管と、を含む。
【００１０】
前記混練物は、炭粉１００重量部、セメント５〜２０重量部、無機塩水溶液５〜２０重量部を混練したものである。
【００１１】
本発明のベッドの製造方法は、炭粉、セメント、無機塩水溶液を含む被混練物を混練して混練物を得る工程と、前記混練物を板状に成形して成形物と成す工程と、前記成形物を養生して固化し、板状体と成す工程と、前記板状体が２つであり、２つの該板状体の少なくとも一方の板状体に溝を設ける工程と、前記溝に配管を配置する工程と、前記溝のある面が他方の板状体と接するように、前記２つの板状体を重ね合わせる工程と、を含む。
【００１２】
前記成型物と成す工程と溝を設ける工程とが同時におこなわれ、前記板状体と成す工程で板状体の形成と同時に溝も設けられる。
【００１３】
本発明のベッドの他の製造方法は、炭粉、セメント、無機塩水溶液を含む被混練物を混練して混練物を得る工程と、配管を覆うように前記混練物を板状に成形して成形物と成す工程と、前記成形物を養生して固化し、板状体と成す工程と、を含む。
【００１４】
前記混練物を得る工程は、炭粉１００重量部、セメント５〜２０重量部、無機塩水溶液５〜２０重量部を混練することを含む。
【発明の効果】
【００１５】
本発明は配管を通る温水によって暖められた炭粉から放射される遠赤外線およびマイナスイオンによって体の血行をよくし、体調を整えることができる。温熱療法の低温サウナとして、神経・リンパ・免疫系の回復を図ることができる。炭粉はリサイクル炭を利用することもでき、森林保護に役立つ。また、配管を循環する温水が廃熱を利用して得られた温水であれば、エネルギーのカスケード利用となる。さらに、本発明のベッドは無機質なため、廃棄時は板状体を砕いて土壌改良材などに使用でき、環境負荷を低減できる。炭粉による消臭、空気清浄効果もあり、炭によってＣＯ２が固定化されることによって地球温暖化防止に役立つ。
【発明を実施するための最良の形態】
【００１６】
次に、本発明のベッドおよびその製造方法の実施形態について図面を用いて説明する。本発明のベッドはヒーリングサウナやチャコールバーデン（木炭サウナ）として利用できるものである。以下の説明において符号１２は、１２ａ、１２ｂを総括的に示すものとする。
【００１７】
図１に示す本発明のベッド１０は、炭粉１００重量部、セメント５〜２０重量部、無機塩水溶液５〜２０重量部を含む混練物が養生により固化されて成る第１および第２板状体１２ａ，１２ｂと、第１および第２板状体１２ａ，１２ｂが重ね合わされ、板状体同士が接する面において、少なくともいずれか一方の板状体１２ａ（１２ｂ）に掘られた溝１４と、溝１４内を通る配管１６とを含む。なお、図１においては、上の板状体を第１板状体１２ａ、下の板状体を第２板状体１２ｂとしている。
【００１８】
混練物には充填材として無機粉体や、天然物由来の有機粉体が含有されていてもよいが、このような充填材の含有比率は０であるか小さいことが好ましい。また、少量の増粘剤や接着剤のような添加物が添加されていてもよいが、その量は、本発明のベッド１０が使用後に廃棄されたときに環境の負荷にほとんどならない程度に限定される。また、炭粉の微孔を塞いで吸着能が大きく損なわれない程度の量に限定される。添加物の含有比率は０であることが更に好ましい。
【００１９】
本発明において用いられる炭粉は、粉状の木炭、竹炭、籾殻炭あるいは活性炭の内の少なくとも一つから成るものである。例えば木炭、竹炭あるいは活性炭を粉砕して粉状にしたものが好適に用いられる。炭粉は、廃木材をリサイクルしてできたものであれば、環境負荷を低減することができる。
【００２０】
本発明において用いられるセメントは通常の建築資材用のものでよい。
【００２１】
本発明において用いられる無機塩水溶液は、カルシウム、鉄等の金属の塩を０．１〜１０重量％含有するものであり、なかでも塩化カルシウムのようなカルシウム塩が無機塩全体の２０〜８０重量％を占めることが好ましい。無機塩水溶液はセメントと混合されてセメントの硬化を促進し、硬化後のセメントの耐水性を向上させる。
【００２２】
第１および第２板状体１２ａ，１２ｂの少なくとも一方に溝１４が設けられているが、溝１４の平面・断面形状は任意である。溝１４は、板状１２体の側面に少なくとも２箇所の開口部を設ける。図２に溝１４の平面の一例を示すが、できるだけ溝１４を蛇行させ、溝１４の距離を長くすることが好ましい。これは、溝１４内を通る配管１６に温水を流してベッド１０の温度を調節するため、できるだけ温水の熱を板状体１２に伝える面積を広くするためである。
【００２３】
また、溝１４の断面の一例を図３（ａ）〜（ｃ）に示すが、少なくとも一方の板状体１２に溝１４が設けられ、溝１４と配管１６の断面形状は同じであってもよいし、断面形状が異なって両者に隙間が空いてもよいが、溝１４と配管１６の形状を同じにすることが好ましい。これは、配管１６内を循環する温水の熱を板状体１４に伝えやすくするためである。
【００２４】
配管１６の材質は任意でよいが、できる限り熱伝導率の高いものを使用することが好ましい。これは、配管１６内を循環する温水の熱を板状体１２に伝えやすくするためである。
【００２５】
本発明は、配管１６内を温水が循環する。温水はボイラーでわかしたものでも良いし、温泉水を利用しても良い。ボイラーは、化石燃料や電気を利用するもの以外に、木質バイオマスを利用した蒸気ボイラーなども利用可能である。また、寒冷地で複数の家庭の暖房のために、大型のボイラーで湯沸かしをした後に各家庭に循環される温水を利用しても良い。さらには、焼却施設などの廃熱を利用して湯沸かしをおこない、その温水を利用してもよい。エネルギーのカスケード利用が可能となる。
【００２６】
本発明は、配管１６内で温水を循環させるための手段として任意のポンプを設けてもよい。
【００２７】
重ね合わされた板状体１２の上面にはマットやタオルなどをひいてもよい。これは、板状体１２の上に人が寝るためである。マットなどと同時に枕をおいてもよい。
【００２８】
本発明のベッド１０をヒーリングサウナとして利用するのであれば、配管１６内を循環する温水の温度を調節し、ベッド１０およびその周囲が約４０〜４５℃になるように調節するのが好ましい。
【００２９】
以上が本発明のベッド１０の構成である。温水によって炭粉を暖め、遠赤外線およびマイナスイオンを放出することができる。ベッド１０は、遠赤外線およびマイナスイオンによって表皮血行をよくし体調を整えることができる。従来技術の引用文献１とは異なり、温水を利用しているため、短時間で炭粉が暖められ、遠赤外線やマイナスイオンを放出する。引用文献１とは異なり、ヒーリングサウナとして利用することができる。
【００３０】
さらに、ベッド１０の板状体１２は環境にとって無害な無機物や微量の天然の有機物などで構成されており、板状体１２を破砕して廃棄時に土に還元しても環境に負荷を与えず、土質改良に役立つ。すなわち、板状体１２が汗などで汚れたとしても、廃棄時に環境への負荷を気にしなくてすむ。
【００３１】
次に本発明のベッド１０、特に板状体１２の製造方法について説明する。板状体１２の製造は、（１）炭粉１００重量部、セメント５〜２０重量部、無機塩水溶液５〜２０重量部を含む被混練物を混練して混練物を得る。（２）混練物を板状に成形して成形物と成す。（３）成形物を養生して固化し、板状体１２と成す。
【００３２】
上記（１）の炭粉、セメント、無機塩水溶液は、上述したものを使用する。混練物は加える水の量を加減して、例えば小麦粉などと水とを混練した麺類の生地程度の硬さに仕上げる。
【００３３】
上記（２）は、成形型に入れて加圧成形して成形物と成す。成型物の形状、サイズは任意であるが、ベッドとして使用できる形状、サイズにする。成形型としては木型などが使用できる。
【００３４】
上記（３）において、常温で４時間程度放置し、養生することにより固化させ上記板状体１２となる。この養生の時間は、気温、湿度、硬化の程度により適宜設定される。
【００３５】
上記（２）および（３）の工程において２つの板状体１２を製造する。板状に成形するときに、少なくともいずれか一方の成形物に溝１４を設けておく。溝１４を設ける位置は、２つの板状体１２が重ね合わされたときに接する面である。溝１４は板状体１２の側面で２つの開口を有するようにする。この開口が配管１６の出入り口となる。上記（３）で板状体１２となったときに溝１４が形成されていることとなる。なお、板状体１２となった後に板状体１２に溝１４を掘ってもよい。
【００３６】
板状体１２の製造後のベッド１０の製造工程は、（４）溝１４内に配管１６を通す。（５）上述したボイラーなどと配管１６とを接続する。（６）２つの板状体１２を重ね合わせる。なお、（５）と（６）はどちらが先であってもよい。
【００３７】
以上の工程で本発明のベッド１０が製造できる。ベッド１０の配管１６に温水を循環させることによって、ヒーリングサウナとして利用できる。
【００３８】
炭粉と凝固剤などを撹拌する機械と木型などの成形型があれば簡単にベッド１０を製造することができ、大きな資金投資が必要ない。
【００３９】
粉末状の活性炭を有機の接着剤で固めて固形物（板状体）と成して吸着材として使用することは従来行なわれているが、従来の接着剤は活性炭の微孔を封じてしまうのでこのようにして得られる固形物の吸着能は元の活性炭よりかなり劣るものであった。本発明においては、セメントを媒体として板状体１２が形成されるので、活性炭の微孔が接着剤で封鎖される度合いが小さい。このため本発明のベッド１０は優れた吸着能により、ベッド１０をおいた部屋の消臭・空気浄化などをおこなう効果を有する。すなわち、炭粉同士が点接触したようになるため、炭粉間に空隙を有しかつ１個の炭粉の内部にも多数の微孔を有するので効率的に消臭・空気浄化がおこなわれる。
【００４０】
以上、本発明の実施形態について説明したが、本発明は上記の実施形態に限定されることはない。例えば、２つの板状体１２は１つであってもよい。この場合、上記（２）で混練物を板状に成形するときに、配管１６を覆うように混練物を成形する。したがって、板状体１２ができあがったときには、板状体１２の中に配管１６が入っており、溝１４を設ける必要はない。
【００４１】
上述の実施形態では１本の配管１６を使用したが配管１６の数は任意である。配管１６が長すぎて配管１６内を循環している温水の温度が低くなってしまうのであれば、配管１６の数を増やして配管長を短くする。
【００４２】
図１において、第１および第２板状体１２ａ，１２ｂを重ね合わせたが、例えば第１板状体１２ａだけを使用し、第２板状体１２ｂを使用しない形態でもよい。すなわち、第２板状体１２ｂは炭粉などを固化させたもの以外を使用する。例えば、第２板状体１２ｂの代わりに板状のヒーターや断熱材などを使用してもよい。第１板状体１２ａの底面にヒーターを設けた場合、第１板状体１２ａの底面に溝１４を設けて配管１６を配置するか否かは任意である。単に断熱材などを設けるだけであれば第１板状体１２ａの底面に溝１４を設け、溝１４内に配管１６を配置する。さらに、ヒーターなどを設けずに直接第１板状体１２ａを床などにおき、溝１４内に配管１６を配置してもよい。
【００４３】
その他、本発明は、その主旨を逸脱しない範囲で当業者の知識に基づき種々の改良、修正、変更を加えた態様で実施できるものである。
【図面の簡単な説明】
【００４４】
【図１】本発明のベッドにおいて板状体の一部を破断させた斜視図である。
【図２】板状体の表面に設ける溝の一例を示す図である。
【図３】板状体、溝、配管の任意の位置での断面図であり、（ａ）は第１および第２板状体に配管と同形状の溝が設けられた図であり、（ｂ）は第１および第２板状体に矩形形状の溝が設けられた図であり、（ｃ）は第２板状体にのみ矩形形状の溝が設けられた図である。
【符号の説明】
【００４５】
１０：ベッド
１２：板状体
１４：溝
１６：配管
【図１】
2006217937.tif 000003
【図２】
2006217937.tif 000004
【図３】
2006217937.tif 000005